(57)【要約】【課題】画面タッチによるコントラスト調整式液晶パネル搭載機器において、環境変化により画面が見えなくなり、コントラスト調整が出来なくなる事を防止すること。【解決手段】タイマー１９にて設定された時間以上使用されずにバックライト３６が消灯される時のコントラスト値を演算処理部１８で一時的に記憶しておき、画面がタッチされて使用再開するためにバックライト３６を点灯した際に、演算処理部１８で記憶されたコントラスト値に一定量増加した値のコントラスト値でもって、コントラスト制御部２０がコントラストを調整する。【選択図】図４
2008020663.tif 000002
【特許請求の範囲】
【請求項１】
液晶パネルを搭載する情報端末装置において、前記液晶パネルのコントラストを制御するコントラスト制御手段と、前記液晶パネルの前面表示部に配したタッチパネルと、前記タッチパネルにより前記液晶パネルに表示された入力キー表示部をタッチして入力の受け付けを行う演算処理部と、時間を計測するタイマー手段とを有し、前記タイマー手段により計測される時間が予め設定した時間を経過しても前記入力キー表示部からの入力がないとき、前記バックライトへ照射する光を抑制もしくは停止し、前記バックライトへ照射する光を抑制もしくは停止した後に、前記入力キー表示部からの入力があれば、前記コントラスト制御手段は前記液晶パネルのコントラストを、前記バックライトへ照射する光を抑制もしくは停止した時点のコントラストよりも上げて調整することを特徴とする情報端末装置。
【請求項２】
バックライトへ照射する光を抑制もしくは停止した後に入力キー表示部からの入力があって、コントラスト制御手段が液晶パネルのコントラストを、前記バックライトへ照射する光を抑制もしくは停止した時点のコントラストよりも上げて調整する際に、コントラスト調整用入力キーを表示させることを特徴とする請求項１記載の情報端末装置。
【請求項３】
コントラストを上げて調整する機能およびコントラスト調整用入力キーを表示させる機能をＯＮ−ＯＦＦ設定できることを特徴とする請求項２記載の情報端末装置。
【発明の詳細な説明】
【技術分野】
【０００１】
本発明はタッチパネルを前面に配したコントラスト調整を要するバックライト式液晶パネルにおいて、コントラスト調整入力キーを液晶パネルの画面に表示し、タッチパネルによる入力により行うコントラスト調整機能を有する情報端末装置に関するものである。
【背景技術】
【０００２】
近年、情報端末装置においては、高機能化と共に小型化・薄型化が求められるため、バックライト式の液晶パネルの採用が多い。また、操作性に優れると言う理由から液晶パネルの表示面にタッチパネルを配した構成が多く採用されている。
【０００３】
液晶パネルは特にＳＴＮ方式などにおいてコントラスト調整が必要であり、そのコントラスト調整は機械式ボリュームを機器の側面など使用者が操作し易い場所に配し、画面を見ながら調整を行う方式や別途コントラスト調整用スイッチを操作部に設ける構成が知られていた。
【０００４】
ところで、コントラスト調整に関しては、温度や周囲の明るさなど設置場所の環境に影響を受けやすい。そのため、たとえ工場出荷時にコントラスト調整を行ったとしても、使用時に表示画面が見えにくくなるといった問題が生じていた。
【０００５】
そこで、設置場所の周囲温度や液晶パネル自体のバラツキなど個別データを予め機器内部に記憶させ、電源投入時にコントラストの最適化を自動調整することで対応していた（例えば、特許文献１参照）。
【０００６】
図６は、特許文献１に記載された従来のタッチパネル付き液晶パネルとコントラスト調整方法の構成を示す構成概観図である。図６に示すように、端末装置に接続される液晶パネル付き操作器１は、各ファンクションキーおよびコントラスト調整ボタンを備えたタッチパネル２と、液晶パネルのコントラスト設定するコントラスト基準電圧を出力するコントラスト調整制御部３と、調整ボタンの押し下げによりコントラスト制御を行う制御信号を出力ＣＰＵ５と、制御信号に基づいて、コントラスト基準電圧を可変または一定に保持させるコントラスト基準電圧制御部７と、コントラスト基準電圧の設定データを格納するメモリ６を備えている。
【０００７】
そして、設置場所の周囲温度と液晶パネル自体の製造によるバラツキで基準電位を個別に決定し、電源投入時にコントラストの基準電位をバラツキによる誤差を考慮した電圧範囲で繰り返し変化させ、設置者が液晶パネル画面上に表示された文字が最適なコントラストになった時に画面上のタッチパネルを押下することで、設置場所におけるコントラストの基準電圧として記憶し、その後に電源を再投入した場合に基準電位に基づいて最適なコントラストに自動調整する様に動作していた。
【特許文献１】特開平１０−１０５１０６号公報
【発明の開示】
【発明が解決しようとする課題】
【０００８】
しかしながら、液晶パネルの劣化などの経時変化や設置環境変化を設置時に予想することは困難であり、たとえ上記従来技術のようにタッチパネル付き液晶パネルの設置時に、最適なコントラスト調整を行ったとしても、その日の季節、気候、気温により設置場所の環境は変化してしまうので、都度コントラスト調整を行う必要がある。なお、この問題に関しては周囲の温度変化を検知し、適宜コントラスト調整の制御部に対して温度補正を行
う方式があるが、コストが大きく現実性は少ない。
【０００９】
また、タッチパネル付き液晶パネルは、消費電力の削減や液晶パネル寿命の観点から、長時間使用しない場合にはバックライトを消灯させ、使用再開時にバックライトを点灯している。しかし、長時間使用しない上に使用再開時の環境がバックライト消灯時と大きく異なっていれば、再度コントラスト調整を行わなければならない状況となる。
【００１０】
さらに、近年では防水構造が容易に実現でき、デザイン性に優れる等の理由から、コントラスト調整用ＵＰ／ＤＯＷＮ入力キーを液晶パネルの画面内に表示し、使用者が入力キー表示前面に配されたタッチパネル入力により行うコントラスト調整方式が採用されている。そのため、設置場所の環境の変化によって、コントラスト調整用ＵＰ／ＤＯＷＮ入力キーが認識しづらくなり、コントラスト調整を行うことさえ困難となってしまう。
【００１１】
本発明は、上記従来の課題を解決するもので、コントラスト調整用ＵＰ／ＤＯＷＮ入力キーを液晶パネルの画面に表示し、使用者が入力キー表示前面に配されたタッチパネル入力により行うコントラスト調整を行う方式において、設置場所の環境変化に対して使用者の見易さを考慮した情報端末装置を提供することを目的とする。
【課題を解決するための手段】
【００１２】
従来の課題を解決するために、本発明の情報端末装置は、バックライトへ照射する光を抑制もしくは停止した後に、入力キー表示部から入力があった場合に、予め設定された一定時間、液晶パネルの輝度およびコントラストを所定量上げ、使用者が画面の認識をし易くし、必要に応じコントラスト調整を実施できるようにするものである。
【発明の効果】
【００１３】
本発明の情報端末装置は、長時間使用せず、環境の変化など予期せずに液晶パネルの画面が見えなくなった場合に、タッチパネルに触れることで一定時間コントラストを所定量上げ、液晶パネル画面上の入力キーによるコントラスト調整を可能とすることができる。
【発明を実施するための最良の形態】
【００１４】
第１の発明は、背面から光を照射するバックライト式の液晶パネルを搭載する情報端末装置において、液晶パネルのコントラストを制御するコントラスト制御手段と、液晶パネルの前面表示部に配したタッチパネルと、タッチパネルにより液晶パネルに表示された入力キー表示部をタッチして入力の受け付けを行う演算処理部と、時間を計測するタイマー手段とを有し、タイマー手段により計測される時間が予め設定した時間を経過しても入力キー表示部からの入力がないとき、バックライトへ照射する光を抑制もしくは停止し、バックライトへ照射する光を抑制もしくは停止した後に入力キー表示部からの入力があったとき、コントラスト制御手段は液晶パネルのコントラストをバックライトへ照射する光を抑制もしくは停止した時点のコントラストよりも上げて調整するものである。
【００１５】
これにより、長時間使用せず、環境の変化など予期せずに液晶パネルの画面が見えなくなった場合に、液晶パネル画面上の入力キーによるコントラスト調整を可能とすることができる。
【００１６】
第２の発明は、特に第１の発明の情報端末装置において、バックライトへ照射する光を抑制もしくは停止した後に入力キー表示部からの入力があったとき、コントラスト制御手段は液晶パネルのコントラストを、バックライトへ照射する光を抑制もしくは停止した時点のコントラストよりも上げて調整する際に、同時にコントラスト調整用入力キーを表示させるものである。
【００１７】
これにより、コントラストが元に戻り表示が見づらくなったとしても、入力キーの位置を認識していれば、コントラストを上げる操作が可能となり、コントラストを適正値に合わせることができる。
【００１８】
第３の発明は、特に第２の発明において、コントラスト調整用入力キーを表示させる機能をＯＮ−ＯＦＦ設定できるようにしたものである。
【００１９】
これにより、使用環境の変化や機器のバラツキによるコントラストの変化少なく、画面が見えなくなることが発生しない場合や長時間不使用時に毎回コントラスト補正画面が出ることが煩わしい場合に機能を停止することができる。
【００２０】
以下、本発明の実施の形態について、図面を参照しながら説明する。なお、この実施の形態によって本発明が限定されるものではない。
【００２１】
（実施の形態１）
図１は、本発明の実施の形態における情報端末装置１１を示すもので、図１（ａ）は液晶パネルの前面にタッチパネル１４を配した外観正面図を示し、図１（ｂ）は液晶パネルの前面にタッチパネル１４を配した側面図を示している。
【００２２】
図１において、情報端末装置１１の前面にＳＷキー１２を設けた樹脂製パネル１３を配し、その上面開口部の背面に表示側表面にタッチパネル１４を取り付けた液晶パネル１５を設け、タッチパネル１４および液晶パネル１５は情報端末装置１１内部のプリント基板１６に電気的に接続されている。プリント基板１６にはＳＷキー１２の入力に応じて液晶パネル１５およびスピーカ１７を駆動する音声回路部２１などを制御する演算処理部１８が実装されている。さらに、液晶パネル１５の背面には光源として光の調整を行うバックライト３６が備え付けられている。
【００２３】
タッチパネル１４は、液晶パネル１５の表示面に設けられ、ＳＷキー１２や液晶パネル１５の画面に表示された入力ボタンをタッチすることにより機能を選択し、選択された機能に応じた表示や音声による報知を行っている。
【００２４】
図２は、情報端末装置１１の回路ブロック図である。図２において、演算処理部１８にはタッチパネル１４およびＳＷキー１２およびタイマー１９およびコントラスト制御部２０および音声回路部２１が接続されており、コントラスト制御部２０には液晶パネル１５が接続されている。また音声回路部２１にはスピーカ１７が接続されており、ＳＷキー１２およびタッチパネル１４からの入力やタイマー１９の設定に応じて表示や音声出力などを制御する様に構成している。
【００２５】
そして、ＳＷキー１２またはタッチパネル１４からの入力は演算処理部１８に入力され、選択された内容に応じて演算処理部１８がタイマー１９やコントラスト制御部２０および音声回路部２１を制御し、液晶パネル１５の画面表示や音声回路部２１を制御し、スピーカ１７から音声にて使用者に報知する。また、演算処理部１８は液晶パネル１５の画面に表示された入力ボタンをタッチする事による入力により、コントラスト制御部２０を制御し、液晶パネル１５のコントラストを調整できる。
【００２６】
図３は、液晶パネル１５のコントラスト調整をする場合の画面遷移の例である。図３（ａ）はメニュー画面２２であり、機器の機能を４つに大括りして表示している。図３（ｂ）はメニュー画面２２の機器設定ボタン２３を選択した場合に表示される設定対象項目を選択する機器設定画面２４である。（ｃ）は機器設定画面２４のコントラスト設定ボタン２５を選択した場合に表示されるコントラストを調整するコントラスト設定画面２６であ
り、画面を見ながらコントラスト調整ボタン２７によりコントラストを上下し適正な状態に合わせることができる。
【００２７】
図３のように、通常のコントラスト調整は液晶パネル１５のメニュー画面２２の機器設定ボタン２３をタッチし、機器設定画面２４を表示させ、コントラスト設定ボタン２５をタッチしてコントラスト設定画面２６を表示させ、コントラスト調整ボタンによりコントラストを上下し適正な状態に合わせる。
【００２８】
以上の様に構成された情報端末装置１１について、以下その動作、作用を説明する。
【００２９】
図４は、本発明の実施の形態を示すものであり、情報端末装置１１を通電状態で長時間放置し、大きく環境変化した場合などに液晶パネル１５のコントラストが悪化し、画面見えなくなった場合の画面操作を示したものである。
【００３０】
図４（ａ）は、長時間使用されず（タイマー１９にて設定された時間以上使用されていない）にバックライト３６が消灯された状態となり、画面が見えづらくなっている状態のメニュー画面２２である。図４（ｂ）は、画面の一部にタッチした場合に一定時間コントラストを上げて画面を見やすくすると共に画面の右側コーナー上下にコントラスト調整ボタン２８（濃）および２９（淡）を表示させた状態を表したものである。
【００３１】
図４（ｃ）は、コントラストを上げてからさらに一定時間経過後に画面が元のコントラストに戻り見えなくなった状態で、適切なコントラストに調整するために右側コーナー上のコントラスト調整ボタン２８（濃）部分をタッチした時点を表したものである。図４（ｄ）は、コントラスト調整ボタン２８（濃）部分をタッチすることにより、画面が見える様になった状態を表したものである。
【００３２】
図４（ａ）の様に、タイマー１９にて設定された時間以上使用せず、環境の変化など予期せずに液晶パネル１５の画面が見えなくなった場合に、画面の一部をタッチする、すると、図４（ｂ）の様にタッチパネルからの入力により、演算処理部１８はコントラスト制御部２０を制御し、タイマー１９にて設定された時間、液晶パネル１５のコントラストを予め設定された一定量上げて、画面を見やすくすると共に液晶パネル１５の右側コーナーの上下にコントラスト調整ボタン（濃）２８およびコントラスト調整ボタン（淡）２９を表示させる。
【００３３】
ここで、コントラストを予め設定された一定量上げるというのは、タイマー１９にて設定された時間以上使用されずにバックライト３６が消灯される時のコントラスト値を演算処理部１８で一時的に記憶しておき、画面がタッチされて使用再開するためにバックライト３６を点灯した際に、演算処理部１８で記憶されたコントラスト値に一定量増加した値のコントラスト値でもって、コントラスト制御部２０がコントラストを調整するものである。
【００３４】
そして、図４（ｃ）の様に、コントラスト値が増加されてから所定時間が経過し、再び演算処理部１８で記憶されたコントラスト値（バックライト３６が消灯される時のコントラスト値）に戻り、画面全体が見えにくくなった後も、タイマー１９により設定された時間はコントラスト調整ボタン（濃）２８およびコントラスト調整ボタン（淡）２９を表示させている。したがって、一定時間が経過し画面が見えなくなったとしても、コントラスト調整ボタン（濃）２８の位置を使用者が認識出来ているため、図４（ｄ）の様にコントラスト調整ボタン（濃）２８をタッチし、コントラストを画面が視認出来るまで上げることが出来る。また、コントラストを上げすぎた場合は、コントラスト調整ボタン（淡）２９にタッチすることにより下げ、適切な値に調整することが出来る。
【００３５】
また、コントラスト調整ボタン（濃）２８およびコントラスト調整ボタン（淡）２９にタッチしている間はコントラスト調整ボタン（濃）２８およびコントラスト調整ボタン（淡）２９の表示を継続させる。
【００３６】
以上のように、本実施の形態においては、液晶パネル１５のコントラスト調整を画面上の入力ボタンにより行う情報端末装置１１が長時間使用されず、設置環境変化によって液晶パネル１５の画面が見えなくなった場合であっても、コントラスト調整が出来なくなることを防止することができる。
【００３７】
なお、図４に示した一連の状態における種々の設定は図５に示す画面で調整できる。図５は、液晶パネル１５に表示された入力キー表示による保守モード設定にて、一定時間液晶パネル１５のコントラストを所定量上げる機能およびコントラスト調整用入力キーを表示させ、コントラストが元に戻った後も一定時間入力キーを表示させる機能をＯＮ−ＯＦＦ設定する場合の画面遷移の例である。
【００３８】
図５（ａ）はメニュー画面２２であり、図５（ｂ）は機器設定ボタン２３を選択した場合に表示される設定対象項目を選択する機器設定画面２４である。図５（ｃ）は保守モード設定ボタン３０を選択した場合に表示される保守モードの設定対象項目を選択する保守モード設定画面３１である。また、図５（ｄ）はコントラスト補正設定ボタン３２を選択した場合に表示されるコントラスト補正画面３３であり、ＯＮボタン３４またはＯＦＦボタン３５をタッチすることにより選択される。
【００３９】
図５（ａ）において、液晶パネル１５のメニュー画面２２の機器設定ボタン２３をタッチすることにより、図５（ｂ）の機器設定画面２４を表示させる。そして、保守モード設定ボタン３０をタッチして図５（ｃ）の保守モード設定画面３１を表示させ、さらにコントラスト補正設定ボタン３２をタッチすることにより図５（ｄ）のコントラスト補正画面３３を表示させる。そして、一定時間液晶パネル１５のコントラストを所定量上げる機能およびコントラスト調整用入力キーを表示させてコントラストが元に戻った後も一定時間入力キーを表示させる機能をＯＮボタン３４またはＯＦＦボタン３５により選択・設定できる。
【００４０】
このように、図５によれば、設置環境の影響が少なくコントラスト補正機能が不要の場合は、長時間不使用時に毎回コントラスト補正機能が働き、煩わしいことが発生するため、必要に応じ機能設定を選択することができる。また、コントラスト補正動作をボタン操作や画面表示に合わせ音声にガイダンスにて使用者に報知することも考えられ、より便利な機能とすることができる。
【産業上の利用可能性】
【００４１】
以上のように、本発明にかかる情報端末装置は、防水構造の実現性やデザイン性の阻害やコストアップをおさえ、環境変化による液晶パネルが見えなくなることを防止できるので、液晶パネルを用いる様々な製品（携帯電話の液晶部、パソコンの表示画面、ハンディーターミナルの表示部など）に対して応用可能である。
【図面の簡単な説明】
【００４２】
【図１】（ａ）本発明の実施の形態における情報端末装置の正面図（ｂ）情報端末装置の側面図
【図２】本発明の実施の形態における情報端末装置の回路ブロック図
【図３】本発明の実施の形態におけるコントラスト調整の画面遷移図
【図４】本発明の実施の形態における画面が見えなくなった場合の対応を示す画面遷移図
【図５】本発明の実施の形態における保守モードにてコントラスト補正を設定する場合の画面遷移図
【図６】従来のタッチパネルパネル付き液晶パネルとコントラスト調整方法の構成を示すブロック図
【符号の説明】
【００４３】
１１  情報端末装置
１４  タッチパネル
１５  液晶パネル
１９  タイマー
２０  コントラスト制御部
２５  コントラスト設定ボタン
２６  コントラスト設定画面
２７  コントラスト調整ボタン
２８  コントラスト調整ボタン（濃）
２９  コントラスト調整ボタン（淡）
３４  ＯＮボタン
３５  ＯＦＦボタン
３６  バックライト
【図１】
2008020663.tif 000003
【図２】
2008020663.tif 000004
【図６】
2008020663.tif 000005
【図３】
2008020663.tif 000006
【図４】
2008020663.tif 000007
【図５】
2008020663.tif 000008